(57)【要約】【課題】遮音性能が高い床構造を好適に構築する。【解決手段】建物ユニット２０は、柱２１、床大梁２３及び床小梁２６を有している。床小梁２６は一対の床大梁２３に掛け渡されており、その床大梁２３の長手方向に沿って複数並べられている。床小梁２６の上には床面材２９が設けられており、その床面材２９は複数の床小梁２６に掛け渡された状態になっている。床面材２９の下面には、その床面材２９に加えられた軽量床衝撃音を遮る遮音部材５１が取り付けられている。遮音部材５１は、木質系部材であり、床面材２９の下面に沿って延びている。遮音部材５１は、隣り合う床小梁２６の間に設けられている。この場合、遮音部材５１は、床小梁２６に横並びに配置されており、その床小梁２６からは側方に離間している。【選択図】      図１
2014231716.tif 000002
【特許請求の範囲】
【請求項１】
複数の床小梁の上に掛け渡された状態で設けられている床面材と、
前記床面材に沿って延びた状態で該床面材の下面に重ねられており、同床面材に加えられた軽量床衝撃音を遮る遮音部材と、
を備え、
前記遮音部材は、前記床小梁から側方に離間した位置において、該床小梁に横並びに設けられていることを特徴とする建物の床構造。
【請求項２】
柱、天井大梁及び床大梁を有する建物ユニットが複数組み合わされることで構築された建物に適用され、
前記床小梁は、前記建物ユニットにおいて、互いに平行に設けられた一対の前記床大梁を連結するものであり、該床大梁の長手方向に沿って所定間隔で複数並べられており、
前記遮音部材は、前記床大梁から側方に離間した位置において、隣り合う前記床小梁の間に設けられていることを特徴とする請求項１に記載の建物の床構造。
【請求項３】
前記柱は、柱本体と、前記床大梁が連結された床仕口部とを有しており、
前記床仕口部は、前記柱本体の下端に接続されていることを特徴とする請求項２に記載の建物の床構造。
【請求項４】
前記床面材は、根太を介して前記床大梁の上に設けられており、
前記遮音部材は、前記根太から側方に離間した位置に設けられていることを特徴とする請求項２又は３に記載の建物の床構造。
【請求項５】
前記床小梁に加えられた振動エネルギを吸収する制振ダンパが、当該床小梁に取り付けられており、
前記遮音部材は、前記制振ダンパから離間した位置に設けられていることを特徴とする請求項１乃至４のいずれか１項に記載の建物の床構造。
【請求項６】
前記制振ダンパは、前記床小梁から側方に向けて突出した状態で設けられており、
前記遮音部材は、前記制振ダンパにおける前記床小梁から突出した部分と上下に重ならない位置に設けられていることを特徴とする請求項５に記載の建物の床構造。
【請求項７】
上下に隣り合う上階部及び下階部を有し、前記上階部及び下階部が居住空間として居室及び非居室をそれぞれ有している建物に適用され、
前記遮音部材は、前記上階部及び前記下階部の各居室が上下に並んでいる部分において、前記上階部の前記床面材に取り付けられていることを特徴とする請求項１乃至６のいずれか１項に記載の建物の床構造。
【請求項８】
軽量床衝撃音の遮断対象である遮音領域において、前記床面材の設置面積に対する前記遮音部材の設置面積の割合である面密度が、あらかじめ定められた基準値よりも大きくなるように、前記遮音部材が設置されていることを特徴とする請求項１乃至７のいずれか１項に記載の建物の床構造。
【発明の詳細な説明】
【技術分野】
【０００１】
本発明は、建物の床構造に関するものである。
【背景技術】
【０００２】
住宅等の建物において、床部の遮音性能を高める構成として、床部内に音の伝達を遮ることが可能な遮音部材を設ける技術が提案されている。例えば特許文献１には、互いに横並びに配置された根太及び緩衝層が、上下に対向する一対の硬質層の間に設けられ、上側の硬質層の上に床仕上材が設けられている、という構成が開示されている。この構成では、一対の硬質層がそれぞれ板状に形成され、下側の硬質層は床下地材の上に設置されており、緩衝層が遮音部材としての役割を果たしている。
【先行技術文献】
【特許文献】
【０００３】
【特許文献１】特開２０１２−１０７３７８号公報
【発明の概要】
【発明が解決しようとする課題】
【０００４】
しかしながら、床下地材と床仕上材との間に遮音部材が設けられている構成では、床下地材に対する床仕上材の高さ位置が遮音部材の厚み寸法により規定されることになるため、遮音部材の厚み寸法の分だけ床面が高い位置に設定され、それに伴って天井高が低くなることが懸念される。そこで、遮音部材の厚み寸法に合わせて床下地材の高さ位置を下げることで、天井高が低くならないようにすることが考えられるが、床下地材の高さ位置を下げるには床構造に関する設計を変更する必要があり、設計段階での作業が増大してしまう。
【０００５】
本発明は、上記事情に鑑みてなされたものであり、遮音性能が高い床構造を好適に構築することを主たる目的とするものである。
【課題を解決するための手段】
【０００６】
以下、上記課題を解決するのに有効な手段等につき、必要に応じて作用、効果等を示しつつ説明する。
【０００７】
第１の発明の建物の床構造は、複数の床小梁の上に掛け渡された状態で設けられている床面材と、前記床面材に沿って延びた状態で該床面材の下面に重ねられており、同床面材に加えられた軽量床衝撃音を遮る遮音部材と、を備え、前記遮音部材は、前記床小梁から側方に離間した位置において、該床小梁に横並びに設けられていることを特徴とする。
【０００８】
第１の発明によれば、床面材の下方において遮音部材と床小梁とが横並びに配置されているため、遮音部材が床小梁の上に設置されている場合とは異なり、遮音部材の厚み寸法に合わせて床面の高さ位置や床小梁の高さ位置を設定する必要がない。このため、床面材の下面に遮音部材が取り付けられる構成について、床部に関する設計を容易化できる。
【０００９】
しかも、遮音部材が床小梁から側方に離間しているため、例えば遮音部材が隣り合う床小梁の間にはめ込まれている構成に比べて、遮音部材の大きさ及び形状に関する自由度が高くなっている。この場合、隣り合う床小梁の間の離間距離に合わせた大きさ及び形状を有する専用部材を遮音部材として使用するのではなく、汎用品を遮音部材として使用することが可能となる。これにより、遮音部材を加工するための作業負担やコスト負担を低減できる。また、床面材において床小梁と上下に重なっている部分は、床小梁の上に固定されていることで剛性が高くなっているため、床小梁の下方位置には軽量床衝撃音が伝わりにくくなっている。
【００１０】
以上により、遮音性能が高い床構造を好適に構築することができる。
【００１１】
第２の発明では、第１の発明において、柱、天井大梁及び床大梁を有する建物ユニットが複数組み合わされることで構築された建物に適用され、前記床小梁は、前記建物ユニットにおいて、互いに平行に設けられた一対の前記床大梁を連結するものであり、該床大梁の長手方向に沿って所定間隔で複数並べられており、前記遮音部材は、前記床大梁から側方に離間した位置において、隣り合う前記床小梁の間に設けられている。
【００１２】
複数の建物ユニットを用いて工業化されているユニット式建物において、遮音部材の有無に関係なく天上高を所定値に保つ（床面の高さ位置を均一にする）には、床小梁の高さ位置を変更することが必要になる。ここで、床小梁の高さ位置を変更することは建物ユニット全体の構造を変更することになり、建物ユニットの製造工程について、設計段階での作業負担や、建物ユニットの製造ラインでの作業負担が大きくなってしまう。これに対して、第２の発明においては、遮音部材が床小梁及び床大梁に横並びに設けられていることで、床面の高さ位置が遮音部材の厚み寸法に依存することを回避できるため、遮音部材を用いたユニット式建物を好適に構築することができる。
【００１３】
しかも、遮音部材が床小梁に加えて床大梁から側方に離間しているため、ユニット式建物においても、一対の床大梁の離間距離や隣り合う床小梁の離間距離に合わせた大きさ及び形状を有する専用部材を遮音部材として使用するのではなく、汎用品を遮音部材として使用することができる。
【００１４】
第３の発明では、第２の発明において、前記柱は、柱本体と、前記床大梁が連結された床仕口部とを有しており、前記床仕口部は、前記柱本体の下端に接続されている。
【００１５】
建物ユニットについて、床小梁の上に床面材が設置された状態で、その床面材の下面に遮音部材を取り付ける場合、その取り付け作業を上向きで行うことになり、作業負担が大きくなってしまう。そこで、床面材を床小梁の上に設置する前に、その床面材に遮音部材を取り付けておくことで、遮音部材の取り付け作業を下向きで行うことが可能になるが、この作業手順では、床小梁に対する遮音部材の相対位置を視認することが困難であり、遮音部材を床小梁の上に重ねてしまうことなどが懸念される。
【００１６】
これに対して、第３の発明によれば、建物ユニットにおいて柱本体と床仕口部とを接続する前に、床面材に対する遮音部材の取り付け作業を行うことで、遮音部材の取り付け作業を下向きで行うこと、及び床小梁に対する遮音部材の相対位置を視認することの両方が可能になる。具体的には、まず、床仕口部、床大梁、床小梁を一体化して床ユニットを製作し、その床ユニットの上に床面材を取り付ける。そして、床ユニットを床面材ごと上下逆さまにひっくり返して、床面材の上（裏面）に遮音部材を取り付ける。その後、再び床ユニットをひっくり返して正規の向きにして、床仕口部に柱本体を接続する。これにより、床面材に対する遮音部材の取り付け作業を好適に行うことができる。
【００１７】
第４の発明では、第２又は３の発明において、前記床面材は、根太を介して前記床大梁の上に設けられており、前記遮音部材は、前記根太から側方に離間した位置に設けられている。
【００１８】
第４の発明によれば、遮音部材が根太から側方に離間しているため、床面材が根太を介して床大梁の上に載せられている構成であっても、汎用品を遮音部材として使用することができる。
【００１９】
第５の発明では、第１乃至４のいずれかの発明において、前記床小梁に加えられた振動エネルギを吸収する制振ダンパが、当該床小梁に取り付けられており、前記遮音部材は、前記制振ダンパから離間した位置に設けられている。
【００２０】
第５の発明によれば、床小梁に取り付けられた制振ダンパにより、床小梁に加えられた重量床衝撃音が低減されるため、その重量床衝撃音が床下に伝わることを抑制できる。
【００２１】
しかも、遮音部材と制振ダンパとが互いに離間しているため、それら遮音部材及び制振ダンパのうち一方を取り付けた後に他方を取り付ける際に、一方が他方の取り付けの支障になることを抑制できる。したがって、遮音部材及び制振ダンパの取り付けに際して作業負担を低減できる。
【００２２】
第６の発明では、第５の発明において、前記制振ダンパは、前記床小梁から側方に向けて突出した状態で設けられており、前記遮音部材は、前記制振ダンパにおける前記床小梁から突出した部分と上下に重ならない位置に設けられている。
【００２３】
第６の発明によれば、遮音部材と制振ダンパとが互いに上下に重ならない位置関係になっているため、遮音部材及び制振ダンパのうち一方を取り付けた後において、他方を上下に移動させるという容易な作業により取り付け位置に位置合わせすることができる。これにより、遮音部材及び制振ダンパの取り付け作業を容易化できる。
【００２４】
第７の発明では、第１乃至６のいずれかの発明において、上下に隣り合う上階部及び下階部を有し、前記上階部及び下階部が居住空間として居室及び非居室をそれぞれ有している建物に適用され、前記遮音部材は、前記上階部及び前記下階部の各居室が上下に並んでいる部分において、前記上階部の前記床面材に取り付けられている。
【００２５】
第７の発明によれば、上階部には、床面材に遮音部材が取り付けられた領域と取り付けられていない領域とが含まれているため、上階部の全ての領域について遮音部材が取り付けられている構成に比べて、遮音部材の取り付けについて作業負担及びコスト負担の両方を低減できる。しかも、上階部において騒音が発生しやすい部分と下階部において遮音性能が求められる部分とが上下に並んでいる領域に遮音部材が取り付けられているため、遮音部材の取り付けについて作業負担及びコスト負担を低減できる構成であっても、下階部において遮音部材により得られる遮音効果が低下することを抑制できる。さらに、例えば床小梁と床面材との間に遮音部材が設けられている構成とは異なり、床面の高さ位置を均一にするために遮音部材の設置部分と非設置部分とで床小梁を異なる高さ位置に設置するという必要がないため、床構造の構築に関して設計負担や作業負担を低減できる。
【００２６】
第８の発明では、第１乃至７のいずれかの発明において、軽量床衝撃音の遮断対象である遮音領域において、前記床面材の設置面積に対する前記遮音部材の設置面積の割合である面密度が、あらかじめ定められた所定値よりも大きくなるように、前記遮音部材が設置されている。
【００２７】
第８の発明によれば、遮音領域において遮音部材の遮音性能を適正に発揮させることができる。
【図面の簡単な説明】
【００２８】
【図１】建物ユニットの構成を示す図
【図２】二階床部の構成を示す図
【図３】二階床部の分解斜視図
【図４】建物の間取りを示す図
【図５】別の遮音部材の配置を示す図
【発明を実施するための形態】
【００２９】
以下、本発明を具体化した一実施形態について図面を参照しつつ説明する。本実施形態では、本発明の床構造を、鉄骨ラーメン構造を有する２階建てのユニット式建物において具体化しており、ユニット式建物は、複数の建物ユニットを組み合わせることで構築されている。ここでは、建物ユニットの構成について、図１（ａ）を参照しつつ説明する。図１は建物ユニット２０の構成を示す図であり、（ａ）に斜視図を示し、（ｂ）に建物ユニット２０を下から見た図を示す。
【００３０】
図１（ａ）に示すように、建物ユニット２０は、四隅に配置された柱２１と、柱２１の上端部（上仕口）に連結された天井大梁２２と、柱２１の下端部（下仕口）に連結された床大梁２３とを有しており、これら柱２１、天井大梁２２、床大梁２３により直方体状の骨格（フレーム）が形成されている。天井大梁２２及び床大梁２３は断面コ字状の溝形鋼よりなり、溝部開放側を互いに向き合わせるようにユニット内側に向けて配置されている。
【００３１】
建物ユニット２０において長辺部（桁面）に沿って延び且つ相対する天井大梁２２の間には、所定間隔で複数の天井小梁２５が架け渡されている。同じく長辺部に沿って延び且つ相対する一対の床大梁２３の間には、所定間隔で複数の床小梁２６が架け渡されている。天井小梁２５及び床小梁２６は、それぞれ同一の間隔で且つ短辺側（妻側）の天井大梁２２及び床大梁２３と平行に延びている。天井小梁２５はリップ溝形鋼により形成され、床小梁２６は中空部を有する角形鋼により形成されている。天井小梁２５によって天井面材２８が支持され、床小梁２６によって床面材２９が支持されている。
【００３２】
柱２１は、上下方向に延びている柱本体２１ａと、天井大梁２２が連結された天井仕口部２１ｂと、床大梁２３が連結された床仕口部２１ｃとを有している。柱本体２１ａ及び仕口部２１ｂ，２１ｃは、いずれも四角筒状の角形鋼により形成されており、柱本体２１ａは長尺部材とされ、仕口部２１ｂ，２１ｃは短尺部材とされている。天井仕口部２１ｂは、柱本体２１ａの上側に配置され、その柱本体２１ａの上端に溶接等により接続されている。床仕口部２１ｃは、柱本体２１ａの下側に配置され、その柱本体２１ａの下端に溶接等により接続されている。
【００３３】
次に、建物ユニット２０の床構造について、図１、図２を参照しつつ説明する。図２は二階床部４２の構成を示す図であり、（ａ）に階間空間３５の縦断面を示し、（ｂ）に制振ダンパ６１の正面図を示す。
【００３４】
図２（ａ）に示すように、複数の建物ユニット２０を含んで構成された建物１０は、下階部としての一階部分３１と、上階部としての二階部分３２とを有している。一階部分３１と二階部分３２とは上下に隣り合っており、一階部分３１及び二階部分３２は、居住空間として一階空間３３及び二階空間３４をそれぞれ有している。建物１０においては、一階空間３３と二階空間３４との間に階間空間３５が設けられている。
【００３５】
一階部分３１と二階部分３２との境界線は、一階部分３１を形成する建物ユニット２０と、二階部分３２を形成する建物ユニット２０とのスタッキングラインＳＬになっており、このスタッキングラインＳＬに沿って階間空間３５が水平方向に延びている。建物１０においては、一階空間３３と階間空間３５とが一階部分３１の一階天井部４１により上下に仕切られており、二階空間３４と階間空間３５とが二階部分３２の二階床部４２により上下に仕切られている。
【００３６】
一階天井部４１は、一階部分３１の建物ユニット２０の天井面材２８を含んで構成されている。天井面材２８は、石膏ボード等により形成されており、天井大梁２２及び天井小梁２５の下方に設けられている。天井面材２８は、天井下地材としての野縁４５を介して天井大梁２２及び天井小梁２５に固定されている。野縁４５は、天井面材２８と天井大梁２２及び天井小梁２５との間に設けられており、天井大梁２２や天井小梁２５に沿って延びている長尺部材である。また、階間空間３５には、天井面材２８の上面に沿って延びている天井断熱部４６が設けられている。天井断熱部４６は、グラスウール等の繊維系断熱材により形成されている。
【００３７】
二階床部４２は、二階部分３２の建物ユニット２０の床面材２９を含んで構成されている。床面材２９は、床大梁２３及び床小梁２６の上方に設けられており、複数の床大梁２３や複数の床小梁２６に掛け渡された状態になっている。床小梁２６の上面は、床大梁２３の上面よりも高い位置に配置されており、床面材２９と床大梁２３との間には根太４７が設けられている。この場合、根太４７の上面が床小梁２６の上面と同じ高さ位置にあり、床面材２９は、床小梁２６及び根太４７の上に載せられた状態で、それら床小梁２６及び根太４７に固定されている。
【００３８】
床面材２９は、床面を形成する床仕上面材２９ａと、その床仕上面材２９ａの下側に設けられた床下地面材２９ｂとを有している。床仕上面材２９ａは、フローリング材等により形成されており、床下地面材２９ｂは、合板やパーティクルボード等により形成されている。床仕上面材２９ａ及び床下地面材２９ｂは、いずれも木質系材料を用いて形成された木質系部材である。
【００３９】
二階床部４２においては、床面材２９に加えられた床衝撃音が伝わることを遮る遮音部材５１が床面材２９の下面に取り付けられている。遮音部材５１は、アスファルトに鉄粉を混合した材料などにより形成された長方形の板状部材であり、床面材２９（床仕上面材２９ａ及び床下地面材２９ｂ）よりも高い比重を有している。
【００４０】
また、二階床部４２においては、床衝撃音の遮断が必要な遮音領域が設定されており、その遮音領域に遮音部材５１が設置されている。遮音領域において、床面材２９の設置面積に対する遮音部材５１の設置面積の割合を面密度とした場合、遮音部材５１は、その面密度があらかじめ定められた基準値よりも高くなるように設置されている。ここで、二階床部４２においては、遮音部材５１の設置に関する面密度が高いほど遮音性能が高くなり、床衝撃音（特に軽量床衝撃音）が減衰しやすくなっている。
【００４１】
なお、遮音部材５１が床面材２９よりも高い比重を有していれば、その遮音部材５１は、アスファルト系のシート材や、ゴム系のシート材、塩ビ系のシート材、アルミ等の金属シート、石膏ボード、木質系ボードにより形成されていてもよい。
【００４２】
また、重量床衝撃音は、子供が二階床部４２の上で飛び跳ねたり走り回ったりした場合などに生じる比較的低い音であり、軽量床衝撃音は、スプーンなどの物品を二階床部４２の上に落とした場合などに生じる比較的高い音である。
【００４３】
遮音部材５１は、その上面を床面材２９の下面に重ねた状態で、その床面材２９の下面に沿って延びている。遮音部材５１の上面のほぼ全体が床面材２９の下面に接着剤等により接合されており、ビス等が遮音部材５１を貫通して床面材２９に打ち込まれている。
【００４４】
図１（ｂ）に示すように、建物ユニット２０においては、長辺部を形成する一対の床大梁２３と、短辺部を形成する一対の床大梁２３とにより囲まれた領域が、各床小梁２６により複数に仕切られている。仕切られた各領域は、それぞれ平面視長方形状になっており、建物ユニット２０の短手方向に沿って延びた状態で、建物ユニット２０の長手方向に沿って並んでいる。遮音部材５１は、これら領域のそれぞれにおいて、遮音部材５１の長手方向が床小梁２６の長手方向になる向きで１つずつ設けられている。床小梁２６と遮音部材５１とは、長辺部を形成する一対の床大梁２３の間において、建物ユニット２０の長手方向に沿って交互に並んでおり、各遮音部材５１は、隣り合う床小梁２６の間、又は床小梁２６と床大梁２３との間に配置されている。遮音部材５１においては、その周縁部が床小梁２６や床大梁２３に沿って延びており、その端面が床小梁２６の側面や根太４７の側面に対向している。
【００４５】
図２（ｂ）に示すように、床小梁２６には、その床小梁２６に加えられた振動エネルギを吸収する制振ダンパ６１が取り付けられている。制振ダンパ６１は、二階床部４２に加えられた軽量床衝撃音及び重量床衝撃音のうち重量床衝撃音を低減しやすくなっている。床小梁２６の長手方向において、制振ダンパ６１の長さ寸法は床小梁２６の長さ寸法よりも小さく、制振ダンパ６１は床小梁２６の中間位置に配置されている。
【００４６】
制振ダンパ６１は、床小梁２６に固定されたブラケット６２と、そのブラケット６２に固定された弾性部材６３と、弾性部材６３を介してブラケット６２に取り付けられた重り部材６４とを有している。ブラケット６２は、床小梁２６の下面に溶接等により固定された金属製の板材であり、床小梁２６の幅方向（短手方向）においてその床小梁２６よりも側方に突出している。弾性部材６３は、弾性変形可能なゴム等の材料により形成されており、重り部材６４は、金属材料により形成されている。重り部材６４は、床小梁２６を挟んで両側方に配置されており、各重り部材６４は、いずれもブラケット６２の上に弾性部材６３を介して載せられている。
【００４７】
制振ダンパ６１においては、床小梁２６に対する重り部材６４の相対的な移動が弾性部材６３により可能になっている。このため、二階床部４２に音が伝わるなどして床小梁２６が揺れた場合に、弾性部材６３が弾性変形することで重り部材６４が床小梁２６とは反対向きに移動する。この場合、床小梁２６に加えられた振動エネルギが制振ダンパ６１に吸収されることで、重量床衝撃音が制振ダンパ６１により低減される。
【００４８】
重り部材６４は、床小梁２６から側方に離間した位置に設けられており、床小梁２６の幅方向において、ブラケット６２及び弾性部材６３は重り部材６４よりも側方に突出していない。この場合、床小梁２６の幅方向において、床小梁２６からの制振ダンパ６１の突出寸法Ｄ１は、床小梁２６の側面と、その側面側に配置されたその制振ダンパ６１側の床小梁２６の側面と、同制振ダンパ６１における床小梁２６とは反対側の側面との離間距離になっている。
【００４９】
遮音部材５１は、制振ダンパ６１から側方に離間した位置に配置されている。床小梁２６の幅方向において、床小梁２６と遮音部材５１との離間距離Ｄ２は、床小梁２６からの制振ダンパ６１の突出寸法Ｄ１よりも大きくなっており（Ｄ２＞Ｄ１）、遮音部材５１と重り部材６４とは上下に重なっていない。この場合、各床小梁２６の並び方向において、遮音部材５１の幅寸法は、隣り合う床小梁２６に取り付けられた各制振ダンパ６１の離間距離よりも小さくなっている。
【００５０】
また、上下方向において、遮音部材５１の厚み寸法Ｈ１は、床面材２９と重り部材６４（制振ダンパ６１）との離間距離Ｈ２よりも小さくされており（Ｈ１＜Ｈ２）、遮音部材５１と重り部材６４とは上下に離間している。また、遮音部材５１の厚み寸法Ｈ１は、根太４７の厚み寸法よりも小さくされている。この場合、遮音部材５１は、床大梁２３よりも高い位置に配置されていることになる。
【００５１】
図１（ｂ）に示すように、遮音部材５１は、床小梁２６から側方に離間しているだけでなく、床大梁２３からも側方に離間している。この場合、遮音部材５１は、床大梁２３よりも高い位置において、床大梁２３と上下に重ならない位置に配置されていることになる。床小梁２６の長手方向（建物ユニット２０の短手方向）については、遮音部材５１の短辺が床大梁２３からユニット内側に離間している。また、複数の遮音部材５１のうち両端に配置された各遮音部材５１は、建物ユニット２０の短辺を形成する床大梁２３に隣り合っており、それら遮音部材５１の長辺が床大梁２３からユニット内側に離間している。
【００５２】
また、遮音部材５１は、根太４７に横並びに配置されているが、根太４７からも側方に離間している。例えば、床大梁２３の幅方向において根太４７が床大梁２３よりも側方に突出した状態で設けられている場合、遮音部材５１は、根太４７から側方に離間した位置であって、床大梁２３と上下に重ならない位置に配置されていることになる。
【００５３】
次に、建物ユニット２０の構築手順について、図３を参照しつつ説明する。図３は、二階床部４２の分解斜視図である。なお、図３においては、床仕上面材２９ａの図示を省略している。
【００５４】
建物ユニット２０を製作する工場においては、図３に示すように、床仕口部２１ｃを柱本体２１ａに接続する前に、床仕口部２１ｃに柱本体２１ａを接続していない状態の床ユニット６６を製作する。床ユニット６６は、床仕口部２１ｃ、床大梁２３及び床小梁２６を有しており、床仕口部２１ｃに床大梁２３を接続し、床大梁２３に床小梁２６を接続することで構成されるものである。
【００５５】
床ユニット６６を製作した後、各床大梁２３の上に根太４７を載せ、各根太４７を床大梁２３に対して個別に固定する。そして、床下地面材２９ｂを根太４７及び床小梁２６の上に載せ、ビス等により床下地面材２９ｂを根太４７及び床小梁２６に固定する。この場合、作業者は床下地面材２９ｂの固定作業を下向きで行うことになる。ちなみに、床下地面材２９ｂは、各床小梁２６の並び方向に沿って複数並べて設けられている。
【００５６】
その後、床ユニット６６を上下逆さまにひっくり返し、床下地面材２９ｂを床ユニット６６の下敷きにした状態で、遮音部材５１を床下地面材２９ｂの上に重ね、その床下地面材２９ｂに対してビス等により固定する。この場合、作業者は、遮音部材５１を床下地面材２９ｂの裏面（床下側の面）に取り付ける作業を下向きで行うことができる。遮音部材５１を床下地面材２９ｂに取り付けた後、床ユニット６６を正規の設置状態になるように再び上下をひっくり返し、その状態で、床仕口部２１ｃに柱本体２１ａを接続する作業や、各床小梁２６のそれぞれに制振ダンパ６１を取り付ける作業、床下地面材２９ｂの上に床仕上面材２９ａを取り付ける作業を行う。
【００５７】
なお、床小梁２６に対する制振ダンパ６１の取り付け作業を、床ユニット６６に床下地面材２９ｂを取り付けた後に行うのではなく、床下地面材２９ｂを取り付ける前に行ってもよい。
【００５８】
各床小梁２６のそれぞれに制振ダンパ６１を取り付けた後、根太４７及び床下地面材２９ｂの取り付け作業を行い、床ユニット６６を上下逆さまにひっくり返して遮音部材５１の取り付け作業を行う。ここで、各床小梁２６の並び方向において、隣り合う床小梁２６に取り付けられた各制振ダンパ６１の離間距離が、遮音部材５１の幅寸法よりも大きくなっているため、床小梁２６に制振ダンパ６１が取り付けられた状態であっても、遮音部材５１を制振ダンパ６１同士の間に入り込ませて床下地面材２９ｂの裏面に取り付けることが容易に実施できる。
【００５９】
本実施形態では、二階床部４２の全てに遮音部材５１が取り付けられているのではなく、一階部分３１及び二階部分３２の間取りに応じて遮音部材５１が適宜配置されている。ここでは、遮音部材５１の配置について図４を参照しつつ説明する。図４は建物１０の間取りを示す図であり、（ａ）に一階部分３１の平面図を示し、（ｂ）に二階部分３２の平面図を示す。
【００６０】
図４（ａ），（ｂ）に示すように、二階部分３２には、寝室７１、子供部屋７２，７３、納戸７４、廊下７５、クロゼット７６ａ〜７６ｃ、トイレ７７が設けられている。二階部分３２においては、寝室７１、子供部屋７２，７３、廊下７５、トイレ７７といった居室空間が、二階床部４２にて床衝撃音が発生しやすい場所に該当する。一方、納戸７４及びクロゼット７６ａ〜７６ｃといった非居室空間は、二階床部４２にて床衝撃音が発生する可能性が低い場所に該当する。ちなみに、クロゼット７６ａ〜７６ｃは、それぞれ寝室７１、子供部屋７２，７３の一部として設けられている。
【００６１】
一階部分３１には、リビング８１、ダイニング８２、キッチン８３、和室８４、押入れ８５、廊下８６、浴室８７、脱衣室８８、トイレ８９が設けられている。二階部分３２において床衝撃音が発生しやすい寝室７１、子供部屋７２，７３の下方には、一階部分３１のダイニング８２、キッチン８３、和室８４といった居室空間が存在している。
【００６２】
二階床部４２においては、寝室７１、子供部屋７２，７３といった床衝撃音が発生しやすい居住空間の床部分が、床衝撃音の遮断が必要な遮音領域とされており、その遮音領域に遮音部材５１が設置されている。なお、二階床部４２において床衝撃音が発生した場合、その床衝撃音は遮音部材５１や制振ダンパ６１により減衰されるものの、床衝撃音が僅かにでも階間空間３５に伝わった場合には、階間空間３５の全体に広がることになる。また、図４（ａ）においては、遮音部材５１の設置部分の上方位置をドットハッチングにて示し、図４（ｂ）においては、遮音部材５１の設置部分の下方位置をドットハッチングにて示している。
【００６３】
子供部屋７２，７３は、子供がおもちゃを床に落とすなどして軽量床衝撃音が発生する可能性が高い居室であると考えられるが、仮に軽量床衝撃音が発生してもその軽量床衝撃音は遮音部材５１にて低減されるため、子供部屋７２，７３の二階床部４２にて発生した軽量床衝撃音が階間空間３５及び一階天井部４１を介してダイニング８２やキッチン８３に伝わるということを抑制できる。これにより、一階部分３１においてある程度の遮音性能が求められているダイニング８２やキッチン８３でも、子供部屋７２，７３の下方に配置することが可能になる。
【００６４】
寝室７１は、夜間時間帯に物品を床に落とすなどして軽量床衝撃音が発生する可能性が高い居室であると考えられるが、仮に軽量床衝撃音が発生してもその軽量床衝撃音は、子供部屋７２，７３と同様に遮音部材５１により低減されるため、寝室７１の二階床部４２にて発生した軽量床衝撃音が階間空間３５及び一階天井部４１を介して和室８４に伝わるということを抑制できる。これにより、一階部分３１において寝室として利用されるなど特に高い遮音性能が求められる和室８４でも、寝室７１の下方に配置することが可能になる。
【００６５】
遮音部材５１の比重は、領域ごとに異なる値に設定されている。例えば、二階部分３２の寝室７１の下方領域においては、子供部屋７２，７３の下方領域に比べて、比重の高い遮音部材５１が設置されており、寝室７１の床部が子供部屋７２，７３の床部よりも高い遮音性能を有している。これにより、寝室７１から和室８４への軽量床衝撃音の伝達が、子供部屋７２，７３からダイニング８２やキッチン８３への伝達に比べて生じにくくなっている。
【００６６】
なお、遮音部材５１の厚み寸法が領域ごとに異なる値に設定されていてもよい。例えば、二階部分３２の寝室７１の下方領域においては、子供部屋７２，７３の下方領域に比べて、厚み寸法の大きい遮音部材５１が設置されている構成とする。また、遮音部材５１について、比重及び厚み寸法の両方を領域ごとに異なる値に設定することで、二階床部４２における領域ごとの遮音性能の差異を大きくすることが可能になる。
【００６７】
また、遮音部材５１に関する面密度は、領域ごとに異なる値に設定されている。例えば、二階部分３２の寝室７１の下方領域においては、子供部屋７２，７３の下方領域に比べて、面密度が高くなるように遮音部材５１が設置されており、寝室７１の床部が子供部屋７２，７３の床部よりも高い遮音性能を有している。
【００６８】
以上詳述した本実施形態によれば、以下の優れた効果が得られる。
【００６９】
二階床部４２の床面材２９の下方には、遮音部材５１が床小梁２６に横並びに配置されているため、遮音部材５１が床小梁２６の上に設置されている場合とは異なり、遮音部材５１の厚み寸法に合わせて床面の高さ位置や床小梁２６の高さ位置を設定する必要がない。このため、床面材２９の下面に遮音部材５１が取り付けられている構成について、二階床部４２に関する設計を容易化できる。
【００７０】
しかも、遮音部材５１が床小梁２６から側方に離間しているため、例えば隣り合う床小梁２６の間に遮音部材５１がはめ込まれている構成に比べて、遮音部材５１の大きさ及び形状に関する自由度が高くなっている。この場合、隣り合う床小梁２６の間の離間距離に合わせた大きさ及び形状を有する専用部材を遮音部材５１として使用するのではなく、汎用品を遮音部材５１として使用することが可能となる。これにより、遮音部材５１を加工するための作業負担やコスト負担を低減できる。また、軽量床衝撃音は、遮音部材５１だけでなく床小梁２６においても低減されるため、遮音部材５１が床小梁２６に取り付けられていなくても、遮音部材５１の非設置部分において軽量床衝撃音が床小梁２６の下側に伝わりにくい構成が実現されている。
【００７１】
以上により、遮音性能が高い床構造を好適に構築することができる。
【００７２】
工業化住宅としてのユニット式建物において、遮音部材５１が床小梁２６に横並びに配置されているため、遮音部材５１が床小梁２６と床面材２９との間に設けられている構成とは異なり、遮音部材５１が設置された建物ユニット２０と設置されていない建物ユニット２０とで、床面材２９の高さ位置（天井高）が異なること回避できる。また、この場合、建物ユニット２０ごとに床小梁２６の高さ位置を個別に設定しなくても、床面材２９の高さ位置を各建物ユニット２０において統一することが可能であるため、建物ユニット２０の製造工程において、設計を変更するための作業負担や建物ユニット２０の製造ラインでの作業負担が大きくなることを回避できる。したがって、遮音部材５１を用いたユニット式建物を好適に構築することができる。
【００７３】
建物ユニット２０において、柱２１が柱本体２１ａ及び床仕口部２１ｃを有しているため、床仕口部２１ｃを含む床ユニット６６に遮音部材５１を取り付けた後に、床仕口部２１ｃに柱本体２１ａを接続することができる。この場合、遮音部材５１の取り付け位置が床面材２９の下面であっても、床ユニット６６を上下逆さまにひっくり返すことで、遮音部材５１の取り付け作業を下向きで行うことができる。
【００７４】
遮音部材５１が根太４７から側方に離間しているため、床大梁２３の上に根太４７が設けられている構成であっても、遮音部材５１の大きさ及び形状に関する自由度を高めることができる。
【００７５】
床小梁２６に制振ダンパ６１が取り付けられているため、床小梁２６に重量床衝撃音が加えられた場合に、その重量床衝撃音を制振ダンパ６１により減衰させることができる。しかも、遮音部材５１と制振ダンパ６１とが互いに離間しているため、それら遮音部材５１及び制振ダンパ６１のうち一方を取り付けた後に他方を取り付ける際に、一方が他方の取り付けの支障になることを抑制できる。さらに、遮音部材５１と制振ダンパ６１とは上下に重ならない位置関係にあるため、遮音部材５１及び制振ダンパ６１のうち後から取り付ける方の部材を上下に移動させるという容易な作業により、その部材の取り付け位置に位置合わせすることができる。したがって、遮音部材５１及び制振ダンパ６１の取り付けに際しての作業負担を低減できる。
【００７６】
二階床部４２のうち遮音領域に対して遮音部材５１が設置され、それ以外の領域には遮音部材５１が設置されていないため、二階部分３２の全ての領域に対して遮音部材５１が設置されている構成に比べて、遮音部材５１の取り付けに関して作業負担及びコスト負担の両方を低減できる。さらに、遮音部材５１が床小梁２６に横並びに配置されているため、遮音部材５１が設置されている領域と設置されていない領域とで、床面の高さ位置や床小梁２６の設置高さを同じにすることができる。これにより、遮音部材５１の有無に合わせて床面の高さ位置や床小梁２６の設置高さを個別に設定する構成に比べて、二階床部４２を構築する際の設計負担や作業負担を低減できる。
【００７７】
二階床部４２の遮音領域においては、遮音部材５１の設置に関する面密度が基準値よりも高くされているため、その面密度が低すぎて、遮音部材５１が設置されているにもかかわらず遮音性能が適正に発揮されない、という事態を回避できる。
【００７８】
遮音部材５１の比重が床面材２９の比重よりも大きくされているため、遮音部材５１が有する軽量床衝撃音を遮る性能を高めることができる。しかも、遮音部材５１が設置されている領域には、遮音部材５１の比重が高い領域と、その領域よりも遮音部材５１の比重が低い領域とが含まれているため、全ての遮音部材５１を比重の高い部材にした場合に比べて、コスト負担を低減できる。
【００７９】
［他の実施形態］
本発明は上記実施形態の記載内容に限定されず、例えば次のように実施されてもよい。
【００８０】
（１）上記実施形態では、床小梁２６の並び方向において、遮音部材５１の幅寸法が、その遮音部材５１を挟んで隣り合う床小梁２６の各制振ダンパ６１の離間距離よりも小さくされているが、遮音部材５１の幅寸法は、各制振ダンパ６１の離間距離より大きくてもよい。この構成では、遮音部材５１において制振ダンパ６１と上下に重なる位置に、遮音部材５１の周縁部から内側に向けて凹んだ凹部（切り欠き部）が形成されていることが好ましい。この場合、凹部が制振ダンパ６１を通すことが可能な大きさ及び形状とされており、床小梁２６に制振ダンパ６１に取り付けられている状態で、遮音部材５１を床面材２９に容易に着脱することができる。
【００８１】
（２）上記実施形態では、遮音部材５１が床小梁２６の幅方向及び上下方向の両方において制振ダンパ６１に重ならない位置に設けられていたが、遮音部材５１は、床小梁２６の幅方向及び上下方向のうち一方において制振ダンパ６１に重なる位置に設けられていてもよい。例えば、図５（ａ）に示すように、遮音部材５１の端部が制振ダンパ６１に上下に重なっている構成とする。この構成では、床小梁２６の幅方向において、床小梁２６と遮音部材５１との離間距離Ｄ２が、床小梁２６からの制振ダンパ６１の突出寸法Ｄ１よりも小さくされており（Ｄ２＜Ｄ１）、遮音部材５１が制振ダンパ６１の重り部材６４と床面材２９との間に入り込んでいる。この場合でも、遮音部材５１を床面材２９に取り付けた後に、床小梁２６に対する制振ダンパ６１の取り付け作業を行うことで、隣り合う床小梁２６の間において遮音部材５１を制振ダンパ６１よりも高い位置に配置できる。
【００８２】
（３）二階床部４２の遮音領域において、遮音部材５１の設置に関する面密度は、上記実施形態の面密度に比べて高くてもよく、低くてもよい。例えば、図５（ｂ）においては、遮音部材５１が上記実施形態よりも大きくされており、それによって、面密度が高く設定されている。また、図５（ｃ），（ｄ）においては、遮音部材５１の数が上記実施形態よりも多くされており、それによって、面密度が低く設定されている。なお、面密度が低く設定された場合でも、その面密度が基準値以上であれば、二階床部４２の遮音領域には遮音部材５１により遮音性能が適正に付与されていることになる。
【００８３】
（４）上記実施形態では、建物ユニット２０において一対の床大梁２３に床小梁２６が掛け渡されていたが、各床小梁２６の並び方向に沿って延びる床小梁が設けられていてもよい。例えば、図５（ｃ）に示すように、床小梁２６とその床小梁２６に平行に延びている床大梁２３とに床小梁９１が掛け渡された構成とする。この構成では、床小梁９１は、床小梁２６の長手方向において中間位置に配置されており、各床小梁２６の並び方向に沿って延びている。この場合、床小梁２６における中間位置の構造強度が床小梁９１により高められ、床面材２９の上に重量物が設置されてもその重量物を好適に支持できる。
【００８４】
また、この場合、互いに平行に延びている床小梁２６と床大梁２３との間の領域が床小梁９１により分割されており、分割された各領域のそれぞれに遮音部材５１が設けられている。これら遮音部材５１は、床小梁２６の長手方向に沿って横並びに配置されている。
【００８５】
（５）上記実施形態では、建物ユニット２０において床大梁２３及び床小梁２６により区画された各領域には、遮音部材５１が１つずつ設けられていたが、これら領域には遮音部材５１が複数設けられていてもよい。例えば、図５（ｄ）に示すように、床小梁２６の長手方向に沿って複数の遮音部材５１が設けられており、それら遮音部材５１同士が離間している構成とする。この構成でも、遮音部材５１同士が離間している分だけ、それら遮音部材５１の大きさ及び形状に関する自由度が高いため、汎用品を遮音部材５１として使用することが可能となる。
【００８６】
（６）上記実施形態では、遮音部材５１が、建物ユニット２０において床大梁２３及び床小梁２６に区画された領域と同じ形状にされていたが、この領域とは異なる形状にされていてもよい。例えば、遮音部材５１が、平面視で正方形や三角形、台形などに形成された構成とする。この構成でも、遮音部材５１が床面材２９に沿って延びた状態でその床面材２９の下面に重ねられている構成を実現できる。
【００８７】
（７）上記実施形態では、遮音部材５１が板状部材とされていたが、遮音部材５１は、シート状部材とされていてもよい。この場合、遮音部材５１が変形しやすくなるため、床面材２９に対する遮音部材５１の取り付け作業を容易化できる。
【００８８】
（８）上記実施形態では、遮音部材５１の比重が床仕上面材２９ａ及び床下地面材２９ｂの各比重よりも高くされていたが、遮音部材５１の比重は、床仕上面材２９ａ及び床下地面材２９ｂの少なくとも一方より高くされていればよい。この場合でも、床面材２９に取り付けられた遮音部材５１により軽量床衝撃音に対する遮音効果が発揮される。
【００８９】
（９）上記実施形態では、床面材２９が床仕上面材２９ａ及び床下地面材２９ｂの両方を有していたが、床面材２９は床仕上面材２９ａ及び床下地面材２９ｂのうち一方だけを有していてもよい。例えば、床面材２９が床下地面材２９ｂを有していない場合、遮音部材５１は、床仕上面材２９ａの下面に固定されることになる。
【００９０】
（１０）上記実施形態では、床大梁２３の上に根太４７が設けられているが、根太４７は床小梁２６の上に設けられていてもよい。また、根太４７は、床大梁２３や床小梁２６に沿って複数並べられていてもよい。さらに、床大梁２３と床面材２９との間に根太４７は設けられていなくてもよい。いずれの場合でも、遮音部材５１が床大梁２３や床小梁２６に横並びに配置されていればよい。
【００９１】
（１１）二階床部４２について、遮音部材５１を設置する優先順位を領域ごとに設定し、遮音部材５１を設置可能な面積に応じて優先順位が上位の領域に遮音部材５１を設置する構成としてもよい。この構成では、優先順位の高い領域として、二階部分３２の寝室７１の床部分や廊下７５の床部分などが挙げられ、優先順位の低い領域として、二階部分３２のクロゼット７６ａ〜７６ｃの床部分などが挙げられる。
【００９２】
さらに、二階部分３２において、床面材２９を形成する材料が部屋ごとに異なる構成においては、遮音部材５１の設置位置が床面材２９の材質に合わせて設定されていてもよい。例えば、他の部分に比べて木質系フロア等の硬い素材により床面材２９が形成されている部分に対して遮音部材５１が取り付けられていることが好ましい。なお、遮音部材５１を設置する優先順位を設定する場合には、硬い素材により床面材２９が形成されている部分は、優先順位が上位の領域とされる。
【００９３】
（１２）二階床部４２に対しては、遮音部材５１に加えて、吸音部材や遮音フローリング、カーペット等が設けられていてもよい。
【符号の説明】
【００９４】
１０…建物、２０…建物ユニット、２１…柱、２１ａ…柱本体、２１ｃ…床仕口部、２３…床大梁、２６…床小梁、２９…床面材、２９ａ…床面材を構成する床仕上面材、２９ｂ…床面材を構成する床下地面材、３１…下階部としての一階部分、３２…上階部としての二階部分、４７…根太、５１…遮音部材、６１…制振ダンパ、７１…居室としての寝室、７２…居室としての子供部屋、７３…居室としての子供部屋、７４…非居室としての納戸、７５…非居室としての廊下、７６ａ〜７６ｃ…非居室としてのクロゼット、７７…非居室としてのトイレ、８１…居室としてのリビング、８２…居室としてのダイニング、８３…居室としてのキッチン、８４…居室としての和室、８５…非居室としての押入れ、８６…非居室としての廊下、８７…非居室としての浴室、８８…非居室としての脱衣室、８９…非居室としてのトイレ。
【図１】
2014231716.tif 000003
【図２】
2014231716.tif 000004
【図３】
2014231716.tif 000005
【図４】
2014231716.tif 000006
【図５】
2014231716.tif 000007